(57)【要約】【課題】金属製であるにも拘らず軽量で、且つ意匠的にも優れている。【解決手段】金属製板部材からなる第１リング部材１及び第２リング部材２で構成されており、各リング部材１，２の直径方向の環状部の断面形状が、実質的に円弧状であって、各リング部材１，２の窪んだ面が互いに向き合うように重ね合わせ、第２リング部材２から突出した第１リング部材１の内周縁部１ａ及び外周縁部１ｂを、第２リング部材２に当接するように折り曲げて一体化してなる。好ましくは、各リング部材１，２の板厚が０．３〜１ｍｍである。【選択図】  図３
2004148437.tif 000002
【特許請求の範囲】
【請求項１】
金属製板部材からなる第１リング部材及び第２リング部材で構成されており、前記各リング部材の直径方向の環状部の断面形状が、実質的に円弧状であって、前記各リング部材の窪んだ面が互いに向き合うように重ね合わせ、前記第２リング部材から突出した前記第１リング部材の内周縁部及び外周縁部を、前記第２リング部材に当接するように折り曲げて一体化してなることを特徴とする絡子環。
【請求項２】
前記各リング部材の板厚が０．３〜１ｍｍであることを特徴とする請求項１に記載の絡子環。
【請求項３】
金属製板部材をせん断加工して第１リング部材及び第２リング部材を形成し、前記各リング部材の直径方向の環状部の断面形状が、実質的に円弧状になるように絞り加工をし、前記各リング部材の窪んだ面が互いに向き合うように重ね合わせた後、前記第２リング部材から突出した前記第１リング部材の内周縁部及び外周縁部を、前記第２リング部材に当接するように向けて折り曲げて一体化することを特徴とする絡子環の製造方法。
【発明の詳細な説明】
【０００１】
【産業上の利用分野】
本発明は、僧侶が着用する絡子に取り付ける絡子環に関する。
【０００２】
【従来の技術】
図４Ａに示す通り、絡子環（らくすかん）１０は、僧侶１００が胸に掛ける絡子（小型の袈裟）１０１に取り付ける装飾環をいう。この絡子環１０は、図４Ｂに示すように、１枚のリング部材で形成されており、例えば、木、金属類、べっ甲、或いは象牙製である（非特許文献１参照）。特に、金属製の絡子環は、中実であるため重量物となり、絡子に取り付けた際には、その絡子が傾くという問題がある。
【０００３】
【非特許文献１】
株式会社細野福蔵商店のカタログ、発行年月日不明、ｐ．２９３商品番号２９３−４〜１０、ｐ．２９８商品番号２９８−９・１０
【０００４】
【発明が解決しようとする課題】
そこで、本発明は、前記した問題点に鑑み、金属製であるにも拘らず軽量で、且つ意匠的にも優れた絡子環を提供する。
【０００５】
【課題を解決するための手段】
本発明に係る絡子環は、金属製板部材からなる第１リング部材及び第２リング部材で構成されており、各リング部材の直径方向の環状部の断面形状が、実質的に円弧状であって、各リング部材の窪んだ面が互いに向き合うように重ね合わせ、第２リング部材から突出した第１リング部材の内周縁部及び外周縁部を、第２リング部材に当接するように折り曲げて一体化してなることを特徴とする。
【０００６】
好ましくは、各リング部材の板厚が０．３〜１ｍｍである。
【０００７】
更に、本発明に係る絡子環の製造方法は、金属製板部材をせん断加工して第１リング部材及び第２リング部材を形成し、各リング部材の直径方向の環状部の断面形状が、実質的に円弧状になるように絞り加工をし、各リング部材の窪んだ面が互いに向き合うように重ね合わせた後、第２リング部材から突出した第１リング部材の内周縁部及び外周縁部を、第２リング部材に当接するように向けて折り曲げて一体化することを特徴とする。
【０００８】
【発明の実施の形態】
以下、添付図面に基づいて、本発明を詳細に説明する。
【０００９】
図１は、第１リング部材及び第２リング部材の正面図を示す。図に示すように、比較的薄い、金、銀、銅、真鍮、或いは赤銅等の金属製の板部材をせん断加工することにより、第１リング部材１及び第２リング部材２を形成する。第１リング部材１の内周縁部１ａの直径は、第２リング部材２のそれ２ａに比して小さく、且つ第１リング部材１の外周縁部１ｂの直径は、第２リング部材２のそれ２ｂに比して大きい。そして、第１リング部材１の一方面１０に、プレス加工で模様を施したり、いわゆる透かしを形成しても良い。
【００１０】
図２は、絡子環の製造工程の説明図を示す。図２Ａは、図１における各リング部材１，２のＸ−Ｘ断面及びＹ−Ｙ断面を示す断面図である。即ち、各リング部材１，２の直径方向の断面図を示す。前記のせん断加工の後、各リング部材１，２に絞り加工を施す。この加工によって、図２Ｂに示すように、各リング部材１，２の直径方向Ｘ−Ｘ，Ｙ−Ｙの断面形状が、円弧状に形成される。即ち、各リング部材１，２の一方面１０，２０が内周縁部１ａ，２ａと外周縁部１ｂ，２ｂとの間で連続的に突出する形状をなし、他方面１１，２１が内周縁部１ａ，２ａと外周縁部１ｂ，２ｂとの間で連続的に窪んだ形状をなしている。その後、各リング部材１，２を、金や銀等でめっき加工しても良い。
【００１１】
そして、図２Ｃに示すように、各リング部材１，２を、互いの他方面１１，２１、即ち互いの窪んだ面が向き合うようにし、図２Ｃに示すように、夫々を重ね合わせる。それによって、第２リング部材２の内周縁部２ａ及び外周縁部２ｂが、第１リング部材１の他方面１１に当接する。そして、第１リング部材１の内周縁部１ａ及び外周縁部１ｂが第２リング部材２のそれら２ａ，２ｂから突出する。
【００１２】
その後、図２Ｅに示すように、第１リング部材１の内周縁部１ａ及び外周縁部１ｂを、第２リング部材２の一方面２０に当接するように折り曲げ加工をする。それによって、各リング部材１，２が一体化し、図３に示す絡子環１０が形成される。尚、図３は、本発明に係る絡子環１０を示し、図３Ａは正面図を、図３Ｂは背面図を示す。この図に示す通り、第１リング部材１と第２リング部材２とで絡子環１０の両面を構成する。
【００１３】
この絡子環１０は、図２Ｅ及び図３に示すように、外径Ｌ１が約７０ｍｍ、内径Ｌ２が約４０ｍｍであり、その厚みｔは、約６ｍｍである。即ち、各リング部材１，２の板厚は、約０．５ｍｍであるにも拘らず、前記した方法によって、厚さ約６ｍｍの絡子環を形成することができる。そのため、金属製であって立体感があるにも拘らず、軽量な絡子環１０を製造できる。尚、この寸法数値は、適宜設計変更できることは言うまでもない。
【００１４】
その他の実施例として、形状が略同一である各リング部材１，２を、前記と同様に、各リング部材１，２の他方面１１，１２が互いに向き合うように重ね合わせ、各リング部材１，２の内周縁部１ａ，２ａ及び外周縁部１ｂ，２ｂを溶接して一体化しても良い。
【００１５】
【発明の効果】
以上説明した通り、本発明に係る絡子環は、金属製の比較的薄い２枚のリング部材を重ね合わせて形成するため、金属製であって立体感があるにも拘らず、軽量であり、絡子に取り付けてもその絡子が傾かないという利点がある。更に、各リング部材の加工によって、絡子環の厚みを任意に調整できる。又、リング部材は薄いため、比較的容易に模様や透かしを加工することができるため、雅趣があり審美性の優れた絡子環を提供できる。
【図面の簡単な説明】
【図１】各リング部材の正面図を示す。
【図２】本発明に係る絡子環の製造工程の説明図を示す。
【図３】本発明に係る絡子環の正面図及び背面図を示す。
【図４】従来例の絡子環の説明図を示す。
【符号の説明】
１  第１リング部材
２  第２リング部材
１０，２０  各リング部材の一方面
１１，２１  各リング部材の他方面
１ａ，２ａ  各リング部材の内周縁部
１ｂ，２ｂ  各リング部材の外周縁部
【図１】
2004148437.tif 000003
【図２】
2004148437.tif 000004
【図３】
2004148437.tif 000005
【図４】
2004148437.tif 000006